(57)【要約】【課題】不正行為をより確実に防止できるとともに、解錠等の操作が煩雑にならないようにする。【解決手段】前枠３００に設けられる軸状部材と、外枠２００に設けられる円筒状部材７０とを有し、軸状部材が円筒状部材７０の内部空間に進入して施錠状態とされ、その施錠状態において軸状部材がその軸回り方向に回動されることによって解錠状態とされる第１の施錠機構と、外枠２００に設けられる被係止部材１２０と、前枠３００に設けられ、被係止部材１２０に係止するための係止用位置と被係止部材１２０に係止しないための非係止用位置との間を変位可能な係止部材１３０とを有する第２の施錠機構と、前枠３００の外部からの操作に基づいて第１の施錠機構が施錠状態から解錠状態とされることに伴って係止部材１３０を係止用位置から非係止用位置へと変位させるスライダ１１０とを有する。【選択図】図１
2007014564.tif 000002
【特許請求の範囲】
【請求項１】
遊技盤が取り付けられ外枠に対して開閉可能に設けられる前枠を前記外枠に対して施錠するための遊技機用施錠装置であって、
前記前枠及び前記外枠のうちの一方に設けられる軸状部材と、その軸状部材に対応して前記前枠及び前記外枠のうちの他方に設けられる円筒状部材とを有し、前記軸状部材が前記円筒状部材の内部空間に進入して施錠状態とされ、その施錠状態において前記軸状部材と前記円筒状部材との相対的角度関係が変更されることによって解錠状態とされる第１の施錠機構と、
前記外枠に設けられる被係止部材と、その被係止部材に対応して前記前枠に設けられ、前記被係止部材に係止するための係止用位置と前記被係止部材に係止しないための非係止用位置との間を変位可能な係止部材とを有する第２の施錠機構と、
前記前枠の外部からの操作に基づいて前記第１の施錠機構が前記施錠状態から前記解錠状態とされることに伴って前記係止部材を前記係止用位置から前記非係止用位置へと変位させる連結機構と
を有する、遊技機用施錠装置。
【請求項２】
請求項１に記載の遊技機用施錠装置であって、
前記前枠が前記外枠に対して接近することに伴って、
前記第１の施錠機構において、前記軸状部材が前記円筒状部材の内部空間に進入して前記施錠状態となり、かつ、
前記第２の施錠機構において、前記係止部材が前記被係止部材に係止して施錠状態となる、
遊技機用施錠装置。
【請求項３】
請求項１又は請求項２に記載の遊技機用施錠装置であって、
前記第１の施錠機構の軸状部材は、前記前枠に設けられ当該前枠の外部からの操作に基づいてその軸回り方向に回動可能なものであり、
前記第１の施錠機構の円筒状部材は、前記軸状部材に対応して前記外枠に設けられるものであり、
前記円筒状部材に対して設けられ、通常は当該円筒状部材の内部空間の一部を遮る遮断状態にあり、遮断状態から弾性的に変位することによって当該円筒状部材の内部空間を遮らない非遮断状態になり得る遮断部材と、
前記軸状部材のうちの先端部に形成され、当該軸状部材の後端部の方に向かうにつれて徐々に大径になる第１部位と、
前記軸状部材のうち前記第１部位の後端部に隣接して形成され、前記第１部位の後端部の径に対応した径を有する円形断面をベースに、遮断状態の前記遮断部材に対応して、当該軸状部材の中心軸線の側に向かって退避した退避部を有する第２部位と、
前記第１部位の後端部における前記退避部との境界部分に形成され、遮断状態の前記遮断部材に当接することによって当該軸状部材が当該円筒状部材の内部空間を後退することが阻止される後退被阻止部と
を有する、遊技機用施錠装置。
【発明の詳細な説明】
【技術分野】
【０００１】
本発明は、パチンコ機（弾球遊技機），スロットマシン（回胴遊技機）等の遊技機のための施錠装置に関するものである。
【背景技術】
【０００２】
一般的に、パチンコ機，スロットマシン等の遊技機は前枠及び外枠を有し、前枠は、外枠に対して開閉（回動）可能に取り付けられている。前枠には遊技盤等が取り付けられている。遊技盤の裏側には、制御装置等の各種の部品が設けられている。
そして、前枠の開閉作業は、パチンコホールの作業員等が行うようにされている。
【０００３】
ところで、パチンコホール等においては、所定の作業員等以外の者によって不正に遊技機の前枠が開かれて、制御装置（それに付随する記憶装置）に不正操作が行われる、という事態も生じている。
このため、前枠を外枠に対して施錠する施錠装置が設けられている。
【０００４】
ところが、近年においては不正操作が悪質化している。
このため、不正行為をより確実に防止するために、１つの遊技機に対して２つ（２種類）の施錠機構（施錠装置）が設けられる場合もある。
しかしながら、２つの施錠機構が設けられる場合には、各施錠機構について施錠及び／又は解錠のための操作を行う必要があり、その操作が煩雑である。
【発明の開示】
【発明が解決しようとする課題】
【０００５】
本発明は、不正行為をより確実に防止できるとともに、解錠及び／又は施錠の操作が煩雑とはならない遊技機用施錠装置を提供することを目的とする。
【課題を解決するための手段】
【０００６】
上記の目的を達成するために、請求項１に係る発明は、遊技盤が取り付けられ外枠に対して開閉可能に設けられる前枠を前記外枠に対して施錠するための遊技機用施錠装置であって、前記前枠及び前記外枠のうちの一方に設けられる軸状部材と、その軸状部材に対応して前記前枠及び前記外枠のうちの他方に設けられる円筒状部材とを有し、前記軸状部材が前記円筒状部材の内部空間に進入して施錠状態とされ、その施錠状態において前記軸状部材と前記円筒状部材との相対的角度関係が変更されることによって解錠状態とされる第１の施錠機構と、前記外枠に設けられる被係止部材と、その被係止部材に対応して前記前枠に設けられ、前記被係止部材に係止するための係止用位置と前記被係止部材に係止しないための非係止用位置との間を変位可能な係止部材とを有する第２の施錠機構と、
前記前枠の外部からの操作に基づいて前記第１の施錠機構が前記施錠状態から前記解錠状態とされることに伴って前記係止部材を前記係止用位置から前記非係止用位置へと変位させる連結機構とを有する、遊技機用施錠装置である。
【０００７】
上記発明の遊技機用施錠装置では、第１及び第２の２つの施錠機構が設けられているために、無理に前枠を開こうとする不正行為をより適切に防止できる。
また、第１及び第２の施錠機構が施錠状態にある状態において、前枠の外部からの操作に基づいて、第１の施錠機構において軸状部材と円筒状部材との相対的角度関係が変更されて解錠状態とされるとともに、連結機構によって、第２の施錠機構において係止部材が非係止用位置へと変位され解錠状態とされる。
このように、前枠の外部からの１つの操作に基づいて第１及び第２の施錠機構とも解錠状態とされる。
このようにして、この発明の遊技機用施錠装置では、解錠の操作が煩雑となることが防止される。
【０００８】
請求項２に係る発明は、請求項１に係る発明の遊技機用施錠装置であって、前記前枠が前記外枠に対して接近することに伴って、前記第１の施錠機構において、前記軸状部材が前記円筒状部材の内部空間に進入して前記施錠状態となり、かつ、前記第２の施錠機構において、前記係止部材が前記被係止部材に係止して施錠状態となる、遊技機用施錠装置である。
【０００９】
上記発明の遊技機用施錠装置では、請求項１に係る発明の遊技機用施錠装置の作用効果に加えて、次の作用効果が得られる。
すなわち、前枠が外枠に対して接近するようにされることによって、第１の施錠機構において軸状部材が円筒状部材の内部空間に進入して施錠状態とされるとともに、第２の施錠機構において係止部材が被係止部材に対して係止して施錠状態となる。
このように、前枠を外枠に対して接近させるという１つの操作に基づいて第１及び第２の施錠機構とも施錠状態とされる。
このようにして、この発明の遊技機用施錠装置では、施錠及び解錠の操作が煩雑となることが防止される。
【００１０】
請求項３に係る発明は、請求項１又は請求項２に係る発明の遊技機用施錠装置であって、前記第１の施錠機構の軸状部材は、前記前枠に設けられ当該前枠の外部からの操作に基づいてその軸回り方向に回動可能なものであり、前記第１の施錠機構の円筒状部材は、前記軸状部材に対応して前記外枠に設けられるものであり、前記円筒状部材に対して設けられ、通常は当該円筒状部材の内部空間の一部を遮る遮断状態にあり、遮断状態から弾性的に変位することによって当該円筒状部材の内部空間を遮らない非遮断状態になり得る遮断部材と、前記軸状部材のうちの先端部に形成され、当該軸状部材の後端部の方に向かうにつれて徐々に大径になる第１部位と、前記軸状部材のうち前記第１部位の後端部に隣接して形成され、前記第１部位の後端部の径に対応した径を有する円形断面をベースに、遮断状態の前記遮断部材に対応して、当該軸状部材の中心軸線の側に向かって退避した退避部を有する第２部位と、前記第１部位の後端部における前記退避部との境界部分に形成され、遮断状態の前記遮断部材に当接することによって当該軸状部材が当該円筒状部材の内部空間を後退することが阻止される後退被阻止部とを有する、遊技機用施錠装置である。
【００１１】
「当該軸状部材の後端部の方に向かうにつれて徐々に大径になる」とは、全体として後端部の方に向かうにつれて徐々に大径になることをいい、径が一定の部分があるもの等も含まれる。
「第１部位の後端部」とは、第１部位のうちの軸状部材の後端部の側の端部のことをいう。
「内部空間を遮らない非遮断状態」とは、第１部位の後端部（最大径の部分）が円筒状部材の内部空間を移動可能な程度に当該円筒状部材の内部空間を遮らないという意味である。
【００１２】
上記発明の遊技機用施錠装置では、請求項１又は請求項２に係る発明の遊技機用施錠装置（その第１の施錠機構）において、より具体的にその作用効果が得られる。
すなわち、前枠が外枠に対して接近するようにされることによって、前枠に設けられた軸状部材が外枠に設けられた円筒状部材の内部空間に入ろうとする。
その際、遮断状態となっていた遮断部材が、円筒状部材の内部空間を前進しようとする軸状部材の第１部位（軸状部材の後端部の方に向かうにつれて徐々に大径になる部分を有する）によって押圧されて弾性的に変位し、非遮断状態になっていく。
こうして、軸状部材が円筒状部材の内部空間を前進し、第２部位の退避部が遮断部材に対応する位置関係になることによって、遮断部材が弾性的に遮断状態に戻る。
そして、第１部位の後端部には後退被阻止部が形成されていることから、前枠が外枠から離隔するようにされても、軸状部材が、その後退被阻止部において、遮断状態の遮断部材によって円筒状部材の内部空間を後退することが阻止され、軸状部材が円筒状部材から抜け出ることが阻止される。このようにして、前枠が外枠に対して施錠状態とされる。
【００１３】
その施錠状態において、前枠の外部からの操作に基づいて軸状部材がその軸回り方向に回動されることによって、それまで第２部位のうちの退避部に対応していて遮断状態にあった遮断部材が、第２部位のうちの退避部以外の部分（第１部位のうちの後端部の径に対応した径を有する）に対応することになり、それによって遮断部材が弾性的に非遮断状態とされる。
こうして、軸状部材は、円筒状部材の内部空間を後退して円筒状部材から抜け出ることが可能となり、前枠が外枠から離隔することが可能となる。このようにして、外枠に対して前枠が解錠状態とされる。
【００１４】
以上のように、この発明の遊技機用施錠装置では、前枠を外枠に対して接近させることによって、少なくとも第１の施錠機構において前枠が外枠に対して施錠状態となるとともに、その施錠状態において前枠の外部から軸状部材を回動操作することによって、第１及び第２の施錠機構における施錠が解除される。
このようにして、施錠及び解錠の操作が煩雑となることが防止される。
【００１５】
請求項３に係る発明をさらに具体的に限定した発明として、次の発明が考えられる。
「請求項３に係る発明の遊技機用施錠装置であって、前記遮断部材は、弾性を有する線状材によって形成され、遮断部と、その遮断部の各端部から延びる支持部とを有し、前記遮断部は、前記遮断状態において前記円筒状部材の周壁部に形成された間隙部を通して当該円筒状部材の内部空間の一部を横切るとともに、前記非遮断状態において当該円筒状部材の内部空間を横切らないものであり、前記支持部は、前記円筒状部材の周壁部にほぼ沿って延び当該円筒状部材に形成された溝部に嵌合して当該円筒状部材に当該遮断部材を取り付けるものである、遊技機用施錠装置。」
「内部空間を横切らない」とは、第１部位の後端部（最大径の部分）が円筒状部材の内部空間を移動可能な程度に、当該円筒状部材の内部空間を横切らないという意味である。
【００１６】
上記の発明の遊技機用施錠装置では、請求項３に係る発明の遊技機用施錠装置の作用効果がより具体的に得られる。
すなわち、前枠が外枠に対して接近するようにされることによって、前枠に設けられた軸状部材が外枠に設けられた円筒状部材の内部空間に入ろうとする。
その際、遮断状態となっていた遮断部材が（すなわち、円筒状部材の内部空間の一部を横切っている状態となっていた遮断部が）、円筒状部材の内部空間を前進しようとする軸状部材の第１部位（軸状部材の後端部の方に向かうにつれて徐々に大径になる部分を有する）によって押圧されて弾性的に変位し、非遮断状態になっていく（すなわち、遮断部が円筒状部材の内部空間を横切らない状態となっていく）。
こうして、軸状部材が円筒状部材の内部空間を前進し、第２部位の退避部が遮断部材（遮断部）に対応する位置関係になることによって、遮断部材が弾性的に遮断状態に戻る（すなわち、遮断部が弾性的に円筒状部材の内部空間の一部を横切る状態に戻る）。
そして、第１部位の後端部には後退被阻止部が形成されていることから、前枠が外枠から離隔するようにされても、軸状部材が、その後退被阻止部において、遮断状態の遮断部材によって（すなわち、円筒状部材の内部空間の一部を横切る状態の遮断部によって）円筒状部材の内部空間を後退することが阻止され、軸状部材が円筒状部材から抜け出ることが阻止される。このようにして、前枠が外枠に対して施錠状態とされる。
【００１７】
その施錠状態において、前枠の外部からの操作に基づいて軸状部材がその軸回り方向に回動されることによって、それまで第２部位のうちの退避部に対応していて遮断状態にあった遮断部材が（すなわち、円筒状部材の内部空間の一部を横切る状態にあった遮断部が）、第２部位のうちの退避部以外の部分（第１部位のうちの後端部の径に対応した径を有する）に対応することになり、それによって遮断部材が弾性的に非遮断状態とされる（すなわち、遮断部が弾性的に円筒状部材の内部空間を横切らない状態とされる）。
こうして、軸状部材は、円筒状部材の内部空間を後退して円筒状部材から抜け出ることが可能となり、前枠が外枠から離隔することが可能となる。このようにして、外枠に対して前枠が解錠状態とされる。
【００１８】
以上のように、この発明の遊技機用施錠装置では、前枠を外枠に対して接近させることによって、少なくとも第１の施錠機構において前枠が外枠に対して施錠状態となるとともに、その施錠状態において前枠の外部から軸状部材を回動操作することによって、第１及び第２の施錠機構における施錠が解除される。
このようにして、施錠及び解錠の操作が煩雑となることが防止される。
【発明の効果】
【００１９】
以上のように、本発明の遊技機用施錠装置では、本発明は、２つの施錠機構を有しているために不正行為をより確実に防止できるとともに、その解錠及び／又は施錠の操作が煩雑となることが防止される。
【発明を実施するための最良の形態】
【００２０】
［実施形態１］
次に、本発明の実施形態１について、図１〜図７Ｅに基づいて説明する。この実施形態１は、本発明の施錠装置がパチンコ機（弾球遊技機）に適用されたものである。
【００２１】
図１に示すように、パチンコ機は、外枠２００及び前枠３００を有している。前枠３００は、外枠２００に対して、外枠２００の軸孔部（図示省略）に嵌合する回動軸３０２、及び、軸孔部３０４に嵌合する外枠２００の回動軸（図示省略）を中心に、閉位置と開位置との間を変位（回動）可能に取り付けられる。
【００２２】
前枠３００は、全体として縦長の長方形の枠状をしており、上下一対の横板部及び左右一対の縦板部（いずれも符号省略）を有している。
前枠３００には、遊技盤（図示省略）等が設けられる。遊技盤には、多数の釘，風車，各種の入賞口，センター役物等の各種の部品（いずれも図示省略）が取り付けられている。
遊技盤の裏側には、制御装置，パチンコ球供給装置等の各種の部品（いずれも図示省略）が取り付けられる。
【００２３】
外枠２００は、前枠３００に対応して、全体として縦長の長方形の枠状をしており、上下一対の横枠材及び左右一対の縦枠材（いずれも符号省略）を有している。
【００２４】
図１及び図２に示すように、施錠装置は、そのうちの前枠３００の側の部材として、フレーム１０，シリンダ錠装置２０，スライダ１１０，一対の係止部材１３０を有している。
また、図１に示すように、施錠装置は、そのうちの外枠２００の側の部材として、円筒状部材７０，一対の被係止部材１２０を有している。
【００２５】
図２に示すように、フレーム１０は、ほぼＬ字状の横断面を有し、鉛直方向に長く延びており、前枠３００（図１）の一の縦板部に固定されている。
フレーム１０（図２）には、孔部１２，孔部１４が形成されている。
【００２６】
図１に示すように、シリンダ錠装置２０は、円筒状部材７０に対応して設けられている。
図２〜図４に示すように、シリンダ錠装置２０は、シリンダ錠３０，固定用部材２２，カム４０，Ｄ状断面部材５０，ビス６０を有している。シリンダ錠３０には所定のキー２５が伴っている。
【００２７】
シリンダ錠３０は、前枠３００（図１）と直角にほぼ水平に延びる円柱状をなし、フレーム１０の孔部１２（図２）に挿通され、前枠３００（図１）の縦枠部に形成された孔部（図示省略）に嵌合されている。そして、図１に示すように、シリンダ錠３０の手前側の面は、前枠３００（その縦枠部）の手前側において露出している。
【００２８】
図４に示すように、シリンダ錠３０は、その手前側の面に差込部３２を有し、その奥側の端部から回動軸３５が突出している。そして、キー２５が差込部３２に差し込まれて回動操作されることによって、回動軸３５が回動する。
回動軸３５の先端部には一対の切欠部３６が形成されており、回動軸３５の先端部はほぼ長方形状断面を有している。
回動軸３５の中心軸線部分には、取付用ねじ穴部３８が形成されている。
【００２９】
図１及び図２に示すように、固定用部材２２は、フレーム１０に対して固定されている。図４に示すように、固定用部材２２には挿通孔部２３が形成されており、回動軸３５は挿通孔部２３を回動可能に挿通している。
【００３０】
図４に示すように、カム４０のほぼ中央部分には、取付孔部４２が形成されている。取付孔部４２は、回動軸３５の先端部の形状に対応してほぼ長方形状をしており、回動軸３５の先端部に対してカム４０の取付孔部４２が嵌合されている。こうして、カム４０は、回動軸３５に対して回り止めされている。
カム４０には、スライダ上昇用突出部４４及びガラスストッパ用突出部４６が形成されている。
【００３１】
図４に示すように、Ｄ状断面部材５０は、円柱形状をベースに、その長さ方向と平行な平面によってその一側部が切除され、ほぼＤ字状の断面を有する柱状に形成されている。すなわち、Ｄ状断面部材５０は、円弧状曲面部５２及び平面部５４を有している。
Ｄ状断面部材５０の中心軸線部分（上述したようにＤ状断面部材５０のベースとなる円柱形状における中心軸線部分）には、取付用挿通孔部５６が形成されている。
Ｄ状断面部材５０の平面部５４に対応して、カム４０の取付孔部４２の一縁部には、回り止め用突起部４３（図４（ｂ））が形成されている。
【００３２】
図４に示すように、ビス６０は、頭部６２及び軸部６６を有している。
頭部６２の上面６３（頭部６２を上方にしてビス６０を鉛直にした場合における上面）は、上方に向かって凸状に湾曲している。頭部６２の下面６４は平面状をしている。
軸部６６には、おねじが形成されている。
【００３３】
そして、図３Ａ及び図４に示すように、ビス６０（その軸部６６）がＤ状断面部材５０の取付用挿通孔部５６に挿通され、Ｄ状断面部材５０がカム４０（その回り止め用突起部４３）に対して回り止めされつつ当接した状態で、ビス６０（軸部６６）が、シリンダ錠３０の回動軸３５の取付用ねじ穴部３８に対して螺合され取り付けられている。
こうして、回動軸３５に対してカム４０，Ｄ状断面部材５０，ビス６０が取り付けられているとともに、回動軸３５とカム４０及びＤ状断面部材５０とは回り止めされている（相対的な回動が不可能とされている）。
【００３４】
キー２５が差込部３２に差し込まれて回動操作されることによって、回動軸３５が回動し（このことは前述）、Ｄ状断面部材５０（シリンダ錠３０）は、平面部５４がほぼ鉛直になる施錠用角度位置（図６Ａ，図６Ｂ，図６Ｃ）と、平面部５４がＤ状断面部材５０のうちの下方においてほぼ水平になる解錠用角度位置（図６Ｄ，図６Ｅ）との間を変位する。
【００３５】
ビス６０，Ｄ状断面部材５０，回動軸３５が、本発明の軸状部材に該当する。
ビス６０の頭部６２の上面６３が本発明の第１部位に該当する。すなわち、ビス６０の頭部６２の上面６３は、回動軸３５の先端部に設けられ、回動軸３５の後端部の方に向かうにつれて徐々に大径になっている。
Ｄ状断面部材５０（円弧状曲面部５２及び平面部５４）が本発明の第２部位に該当し、その平面部５４が、本発明の退避部に該当する。
ビス６０の頭部６２の下面６４（そのうちのＤ状断面部材５０の平面部５４に対応する部分）が、本発明の後退被阻止部に対応する。
【００３６】
図１に示すように、外枠２００には、円筒状部材取付部材７８が固定されている。図４に示すように、円筒状部材取付部材７８には、上方に開口し下方に向かって延びる切欠部７９が形成されている。
円筒状部材７０には取付用溝部７１が形成されており、円筒状部材７０は、取付用溝部７１において切欠部７９に対して取り付けられている。
こうして、図１に示すように、円筒状部材７０は、外枠２００（パチンコ機）の奥行方向に沿うように配設されており、図３Ａに示すように、シリンダ錠装置２０（ビス６０等）に対向する側が開口し、他方が閉塞した円筒状をしている。
【００３７】
図４及び図６Ａ等に示すように、円筒状部材７０のうちの先端部の近傍には、円筒状部材７０の周壁部を一巡するように、溝部７２及び間隙部７３が形成されている。
溝部７２は、Ｄ状断面部材５０の円弧状曲面部５２に対応して形成されている。溝部７２においては、円筒状部材７０の周壁部のうちの外側部分が切除されてその周壁部が肉薄状とされている。
間隙部７３は、Ｄ状断面部材５０の平面部５４に対応して形成されている。間隙部７３は、円筒状部材７０の周壁部が完全に切除されて形成されている。
【００３８】
図３Ａ，図４，図６Ａ等に示すように、円筒状部材７０の溝部７２及び間隙部７３には、リング状ばね８０が取り付けられている。
リング状ばね８０は、弾性を有する線状部材によって形成されており、直線部８３及び一対の弧状部８２を有し、全体としてほぼＣ字状をしている。
そして、直線部８３が間隙部７３に嵌合され、各弧状部８２が溝部７２に嵌合されている。
【００３９】
こうして、図６Ａ，図６Ｃ，図６Ｅに示すように、通常においては、リング状ばね８０は、円筒状部材７０の内部空間の一部を遮る遮断状態にある。すなわち、直線部８３が円筒状部材７０の内部空間の一部を横切っている。
そして、図６Ｂ，図６Ｄに示すように、リング状ばね８０が弾性的に変形することによって、直線部８３が変位して、円筒状部材７０の内部空間を遮らない非遮断状態になり得る。すなわち、直線部８３が円筒状部材７０の内部空間を横切らない状態となり得る。
このリング状ばね８０が本発明の遮断部材に該当し、直線部８３が遮断部に該当し、弧状部８２が支持部に該当する。
【００４０】
以上のようにビス６０及びＤ状断面部材５０並びに円筒状部材７０及びリング状ばね８０等によって構成される施錠機構が、第１の施錠機構である。
【００４１】
図１に示すように、各係止部材１３０は、各被係止部材１２０に対応している。
図２及び図５に示すように、上下一対の係止部材１３０は、フレーム１０に対して、ピン１３１によって回動可能に取り付けられている。また、各係止部材１３０とスライダ１１０とは、ピン１３２によって回動可能に連結されている。こうして、スライダ１１０は、フレーム１０に対して、下降位置（図５（Ａ））と上昇位置（図５（Ｂ））との間をフレーム１０に沿って上下動可能に設けられている。
スライダ１１０とフレーム１０との間には引っ張りスプリング１１２が設けられており、スライダ１１０は常に下方に付勢されており、スライダ１１０は通常は下降位置（図５（Ａ））に位置している。
【００４２】
図５（Ａ）に示すように、スライダ１１０が下降位置に位置している状態で、各係止部材１３０は係止用位置に位置している。係止部材１３０は、係止用位置に位置する状態で、前枠３００の奥方向に向かってほぼ水平に延びている。
一方、図５（Ｂ）に示すように、スライダ１１０が上昇位置に位置している状態で、各係止部材１３０は非係止用位置に位置している。係止部材１３０は、非係止用位置に位置する状態で、前枠３００の奥方向に向かうにつれて徐々に下方に向かうように水平から傾斜している。
【００４３】
図５に示すように、係止部材１３０の先端部の側の部分は、くさび状部１３４とされている。係止部材１３０が係止用位置に位置する状態で、くさび状部１３４の上縁部は、係止部材１３０の先端部から基端部に向かうにつれて徐々に上方に向かうように水平から傾斜している。
係止部材１３０におけるくさび状部１３４よりも基端部の側には、凹状部１３５が形成されている。
くさび状部１３４と凹状部１３５との境界部分には、ストッパ部１３６が形成されている。ストッパ部１３６は、係止部材１３０が係止用位置に位置する状態（図５（Ａ））で、ほぼ鉛直に延びている。
【００４４】
図２に示すように、スライダ１１０には、カム４０に対応して、複合孔部１１３が形成されている。複合孔部１１３は、スライダ上昇用孔部１１４と、ガラスストッパ用挿通孔部１１６を有している。フレーム１０の孔部１４は、複合孔部１１３に対応している。
スライダ上昇用孔部１１４の上縁部は、上昇用被作用部１１５とされている。スライダ上昇用孔部１１４（上昇用被作用部１１５）は、カム４０のスライダ上昇用突出部４４に対応している。
ガラスストッパ用挿通孔部１１６は、カム４０のガラスストッパ用突出部４６に対応している。
【００４５】
そして、図２に示すように、シリンダ錠３０（Ｄ状断面部材５０）が施錠用角度状態にある状態において、カム４０のスライダ上昇用突出部４４はスライダ上昇用孔部１１４を挿通せず、ガラスストッパ用突出部４６がガラスストッパ用挿通孔部１１６及びフレーム１０の孔部１４を挿通して、ガラスストッパ４００と係合している。
なお、ガラスストッパ４００は、引っ張りスプリング４０２を介してフレーム１０に対して設けられており、前枠３００に対するガラス窓（図示省略）の施錠及び解錠を行うものである。
一方、図７Ｄに示すように、シリンダ錠３０（Ｄ状断面部材５０）が解錠用角度状態にある状態において、スライダ上昇用突出部４４はスライダ上昇用孔部１１４を挿通しており、上昇用被作用部１１５を上方に押圧し、スライダ１１０は、引っ張りスプリング１１２の付勢力に抗して、上昇位置に位置する。
【００４６】
すなわち、Ｄ状断面部材５０（シリンダ錠３０）が施錠用角度位置に位置する状態（図６Ａ，図６Ｃ）では、通常は、スライダ１１０は下降位置にあり、係止部材１３０は係止用位置に位置する（図７Ａ，図７Ｃ）。
Ｄ状断面部材５０（シリンダ錠３０）が施錠用角度位置に位置する状態（図６Ｂ）でも、スライダ１１０が上昇位置にあって係止部材１３０が非係止用位置に位置する場合もある（図７Ｂ参照）。
また、Ｄ状断面部材５０（シリンダ錠３０）が解錠用角度位置に位置する状態（図６Ｄ，図６Ｅ）では、スライダ１１０は上昇位置にあり、係止部材１３０は非係止用位置に位置する（図７Ｄ，図７Ｅ）。
そして、通常は、Ｄ状断面部材５０（シリンダ錠３０）が施錠用角度位置に位置し（図６Ａ，図６Ｃ）では、スライダ１１０は下降位置にあり、係止部材１３０は係止用位置に位置する（図７Ａ，図７Ｃ）。
【００４７】
以上のように係止部材１３０及び被係止部材１２０によって構成される施錠機構が、第２の施錠機構である。
【００４８】
次に、この施錠装置の作用及び効果について説明する。
まず、第１の施錠機構について説明する。
前枠３００が外枠２００に対して開位置にある状態（図１参照）から、作業員によって、前枠３００が回動され、前枠３００が外枠２００に対して接近するようにされる。
こうして、図６Ａ→図６Ｂに示すように、ビス６０が円筒状部材７０に対して接近し、ビス６０が円筒状部材７０の内部空間に入り、ビス６０及びＤ状断面部材５０がその内部空間を前進しようとする。
それに伴って、ビス６０の頭部６２の上面６３がリング状ばね８０の直線部８３（それまで遮断状態にあった）を徐々に外方向（円筒状部材７０の中心軸線から離隔する方向）へと押圧し、リング状ばね８０が弾性的に変形し、直線部８３の位置が外方向に変位して、リング状ばね８０（直線部８３）は非遮断状態となっていく。
【００４９】
そして、図６Ｃに示すように、ビス６０の頭部６２がリング状ばね８０の直線部８３を越えることによって、Ｄ状断面部材５０の平面部５４がリング状ばね８０の直線部８３に対応することとなる。これによって、リング状ばね８０は、弾性的に、自然状態である遮断状態に戻る。
その状態で、ビス６０及びＤ状断面部材５０が円筒状部材７０の内部空間を後退しようとした際には、ビス６０の頭部６２の下面６４が遮断状態のリング状ばね８０の直線部８３に当接し、ビス６０及びＤ状断面部材５０等がそれ以上後退することが阻止され、ビス６０及びＤ状断面部材５０が円筒状部材７０から抜け出ることが阻止される。
このように、前枠３００が外枠２００に対して接近するようにされることによって、ビス６０（その頭部６２）及びＤ状断面部材５０が円筒状部材７０の内部空間に進入して、前枠３００は、外枠２００に対して閉位置に位置して施錠状態とされる。
【００５０】
前枠３００が外枠２００に対して施錠状態にある状態において、図６Ｃ→図６Ｄに示すように、前枠３００の外部からキー２５がシリンダ錠３０の差込部３２に差し込まれて回動操作され、回動軸３５とともにＤ状断面部材５０及びビス６０が回動し、Ｄ状断面部材５０が解錠用角度状態とされる。
そのようにＤ状断面部材５０が回動する（円筒状部材７０に対するＤ状断面部材５０の角度関係が変更される）ことによって、Ｄ状断面部材５０の平面部５４と円弧状曲面部５２との境界部分がリング状ばね８０の直線部８３を外方向に押圧し、リング状ばね８０（直線部８３）が弾性的に変形し、直線部８３の位置が外方向に変位して、リング状ばね８０（直線部８３）は非遮断状態となっていく。
そして、図６Ｄに示すように、Ｄ状断面部材５０が解錠用角度状態とされ、Ｄ状断面部材５０の円弧状曲面部５２がリング状ばね８０の直線部８３に対応する状態で、リング状ばね８０（直線部８３）は非遮断状態となる。
【００５１】
この状態においては、図６Ｄ→図６Ｅに示すように、ビス６０及びＤ状断面部材５０が円筒状部材７０の内部空間を後退可能であり、ビス６０及びＤ状断面部材５０が円筒状部材７０から抜け出ることが可能である。
このようにして、前枠３００は外枠２００に対して解錠状態とされる（図１も参照）。
図６Ｅに示すように、ビス６０及びＤ状断面部材５０が円筒状部材７０から抜け出た後においては、リング状ばね８０は、弾性的に、自然状態である遮断状態に戻る。
【００５２】
以上のように第１の施錠機構によって前枠３００が施錠及び解錠されるのと同時に、次のように、第２の施錠機構によっても前枠３００が施錠及び解錠される。
【００５３】
すなわち、前枠３００が開位置に位置する状態から外枠２００に対して接近されることによって（図１も参照）、図７Ａに示すように、フレーム１０及び係止部材１３０（係止用位置に位置する）が被係止部材１２０に対して接近する。
そして、図７Ａ→図７Ｂに示すように、係止部材１３０のくさび状部１３４の上縁部が被係止部材１２０（その下端部）に当接し、係止部材１３０がさらに前進することに伴って被係止部材１２０によってくさび状部１３４に対して下方への押圧力が加わる。そして、スライダ１１０を下方に付勢する引っ張りスプリング１１２の付勢力に抗して、スライダ１１０が上昇し、係止部材１３０は傾斜して、ほぼ非係止用位置となる（図７Ｂ）。
【００５４】
そして、図７Ｂ→図７Ｃに示すように、さらにフレーム１０が前進することによって、、係止部材１３０の凹状部１３５が被係止部材１２０に対応することになり、それによって、スライダ１１０を下方に付勢する引っ張りスプリング１１２によってスライダ１１０が下降位置に戻り、係止部材１３０が係止用位置に戻る。こうして、図７Ｃに示すように、係止部材１３０は被係止部材１２０に対して係止した状態となる。
その状態で、係止部材１３０が後退しようとしても、ストッパ部１３６が被係止部材１２０に当接し、係止部材１３０が後退することが阻止される。
こうして、第１の施錠機構とともに、第２の施錠機構によっても、前枠３００が外枠２００に対して施錠状態とされる。
【００５５】
前枠３００が外枠２００に対して施錠状態にある状態において、図７Ｃ→図７Ｄに示すように、前枠３００（図１も参照）の外部からキー２５がシリンダ錠３０の差込部３２に差し込まれて回動操作される。
これによって、回動軸３５とともにＤ状断面部材５０及びビス６０が回動してＤ状断面部材５０が解錠用角度状態とされる（このことは図６Ｃ→図６Ｄに基づいて前述）とともに、図７Ｃ→図７Ｄに示すように、カム４０も回動して、スライダ上昇用突出部４４がスライダ１１０のスライダ上昇用孔部１１４に入って、上昇用被作用部１１５を上方へ押圧する。
こうして、スライダ１１０を下方に付勢する引っ張りスプリング１１２の付勢力に抗して、スライダ１１０が上昇し、係止部材１３０は非係止用位置に位置することとなる（図７Ｄ）。
【００５６】
この状態においては、係止部材１３０は被係止部材１２０に対する係止が外れており、図７Ｄ→図７Ｅに示すように、係止部材１３０が後退可能となる。
このようにして、第１の施錠機構とともに、第２の施錠機構においても、前枠３００は外枠２００に対して解錠状態とされる。
【００５７】
上述のようにして解錠状態にある状態において、作業員によって前枠３００が外枠２００から離隔するようにされることによって、前枠３００は外枠２００から離隔して開位置に位置し得る（図１参照）。
【００５８】
以上のように、開位置に位置する前枠３００が外枠２００に対して接近するようにされて前枠３００が閉位置に位置づけられることによって、第１の施錠機構及び第２の施錠機構によって、前枠３００は外枠２００に対して施錠状態となる。
また、キー２５がシリンダ錠３０の差込部３２に差し込まれて回動されることによって、第１の施錠機構及び第２の施錠機構において、前枠３００は外枠２００に対して解錠状態となる。
【００５９】
すなわち、開位置に位置する前枠３００を閉位置に位置づけるという１つの動作によって、２つの施錠機構によって前枠３００が施錠されるとともに、施錠状態の前枠３００に対してキー２５を差込部３２に差し込んで回動させるという１つの動作によって、２つの施錠機構とも解錠状態とされる。
このように、この施錠装置では、施錠及び解錠が容易であるとともに、その施錠状態においては２つの施錠機構によって前枠３００が施錠されるため、閉位置に位置する前枠３００を無理に開こうとする不正行為をより適切に防止することができる。
【００６０】
また、第１の施錠機構は、前枠３００の側に設けられた回動軸３５，ビス６０，Ｄ状断面部材５０と、それらに対応して外枠２００の側に設けられた（すなわち、外枠２００の側において、それらに対応した位置に設けられた）円筒状部材７０，リング状ばね８０等によって構成されるため、その構造がシンプルであり、その製造及び保守が容易である。
【００６１】
［実施形態２］
次に、本発明の実施形態２について、図８に基づいて、実施形態１との相違点に着目して説明する。対応する部材については、同一の符号を付してその説明を省略する。
この実施形態２は、本発明の施錠装置がスロットマシン（回胴遊技機）に適用されたものである。
そのスロットマシンは、外枠５００及び前枠６００を有している。前枠６００は、図示しない回動機構によって、外枠５００に対して閉位置と開位置との間を変位（回動）可能に設けられている。
【００６２】
そして、施錠装置は、そのうちの前枠６００の側の部材として、フレーム１０，シリンダ錠装置２０，スライダ１１０，一対の係止部材１３０を有している。
また、施錠装置は、そのうちの外枠５００の側の部材として、円筒状部材７０，一対の被係止部材１２０を有している。
そして、実施形態１と同様にして、前枠６００が外枠５００に対して施錠及び解錠がされる。
【００６３】
なお、上記のものはあくまで本発明の実施形態にすぎず、当業者の知識に基づき種々の変更を加えた態様で本発明を実施できることはもちろんである。
例えば、第１の施錠機構及び第２の施錠機構とも、その具体的構成は上述のものに限られない。
【図面の簡単な説明】
【００６４】
【図１】本発明の実施形態１のパチンコ機の施錠装置の概略を示す斜視図である。
【図２】本発明の実施形態１のパチンコ機の施錠装置のうちの前枠の側の機構を示す分解斜視図である。
【図３Ａ】本発明の実施形態１のパチンコ機の施錠装置のうちの第１の機構を示す斜視図である。前枠が開位置にある状態を示す。
【図３Ｂ】本発明の実施形態１のパチンコ機の施錠装置のうちの第１の機構を示す斜視図である。施錠状態を示す。
【図４】本発明の実施形態１のパチンコ機の施錠装置のうちの第１の機構を示す分解斜視図である。（ａ）と（ｂ）とは、異なった角度から見た図である。
【図５】本発明の実施形態１のパチンコ機の施錠装置のうちの第２の機構を示す斜視図である。（Ａ）は係止部材が係止用位置にある状態を示し、（Ｂ）は係止部材が非係止用位置にある状態を示す。
【図６Ａ】本発明の実施形態１のパチンコ機の施錠装置のうちの第１の機構の作用を示す図である。（ａ）は側面図であり、（ｂ）は断面図であり、（ｃ）は正面図であり、（ｄ）は斜視図（一部破断）である。このことは図６Ｂ〜図６Ｅにおいても同様である。
【図６Ｂ】本発明の実施形態１のパチンコ機の施錠装置のうちの第１の機構の作用を示す図である。図６Ａの次の段階を示す。
【図６Ｃ】本発明の実施形態１のパチンコ機の施錠装置のうちの第１の機構の作用を示す図である。図６Ｂの次の段階を示す。
【図６Ｄ】本発明の実施形態１のパチンコ機の施錠装置のうちの第１の機構の作用を示す図である。図６Ｃの次の段階を示す。
【図６Ｅ】本発明の実施形態１のパチンコ機の施錠装置のうちの第１の機構の作用を示す図である。図６Ｄの次の段階を示す。
【図７Ａ】本発明の実施形態１のパチンコ機の施錠装置のうちの第２の機構の作用を示す図である。その全体を示す側面図である。
【図７Ｂ】本発明の実施形態１のパチンコ機の施錠装置のうちの第２の機構の作用を示す図である。その全体を示す側面図である。図７Ａの次の段階を示す。
【図７Ｃ】本発明の実施形態１のパチンコ機の施錠装置のうちの第２の機構の作用を示す図である。（ａ）はその全体を示す側面図であり、（ｂ）はその一部を拡大して示す正面断面図である。図７Ｂの次の段階を示す。
【図７Ｄ】本発明の実施形態１のパチンコ機の施錠装置のうちの第２の機構の作用を示す図である。（ａ）はその全体を示す側面図であり、（ｂ）はその一部を拡大して示す正面断面図である。図７Ｃの次の段階を示す。
【図７Ｅ】本発明の実施形態１のパチンコ機の施錠装置のうちの第２の機構の作用を示す図である。その全体を示す側面図である。図７Ｄの次の段階を示す。
【図８】本発明の実施形態２のスロットマシンの施錠装置の概略を示す斜視図である。
【符号の説明】
【００６５】
３０  シリンダ錠
３５  回動軸（軸状部材）
５０  Ｄ状断面部材（軸状部材のうちの第２部位）
５４  平面部（退避部）
６３  ビス６０の頭部６２の上面（軸状部材のうちの第１部位）
６４  ビス６０の頭部６２の下面（後退被阻止部）
７０  円筒状部材
８０  リング状ばね（遮断部材）
８２  弧状部（支持部）
８３  直線部（遮断部）
１１０  スライダ（連結機構）
１２０  被係止部材
１３０  係止部材
２００  外枠
３００  前枠
【図１】
2007014564.tif 000003
【図２】
2007014564.tif 000004
【図３Ａ】
2007014564.tif 000005
【図３Ｂ】
2007014564.tif 000006
【図４】
2007014564.tif 000007
【図５】
2007014564.tif 000008
【図６Ａ】
2007014564.tif 000009
【図６Ｂ】
2007014564.tif 000010
【図６Ｃ】
2007014564.tif 000011
【図６Ｄ】
2007014564.tif 000012
【図６Ｅ】
2007014564.tif 000013
【図７Ａ】
2007014564.tif 000014
【図７Ｂ】
2007014564.tif 000015
【図７Ｃ】
2007014564.tif 000016
【図７Ｄ】
2007014564.tif 000017
【図７Ｅ】
2007014564.tif 000018
【図８】
2007014564.tif 000019